(57)【要約】【課題】攻撃目標に対して破壊面積を増大させ、かつ飛翔時の安定性も維持した先端部を有する弾頭を提供すること。【解決手段】攻撃対象物を破壊する展開弾頭１１であって、先端部１３と、先端部１３の後端と一端が接続された軸１２と、軸１２の一端と長手方向の一端が接続部１９において接続された１以上の炸薬部材１４と、炸薬部材１４の長手方向について軸１２と平行になるように維持するロック装置１６を備え、炸薬部材１４は、接続部１９を支点にして軸１２と垂直な方向に展開を行う付勢機構１４ａを有し、ロック装置１６は、上記維持を解除させる解除機構１６ａを有する。【選択図】  図３
2012202597.tif 000002
【特許請求の範囲】
【請求項１】
攻撃対象物を破壊する展開弾頭であって、
先端部と、
該先端部の後端と一端が接続された軸と、
前記軸の一端と長手方向の一端が接続部において接続された１以上の炸薬部材と、
前記炸薬部材の長手方向について前記軸と平行になるように維持するロック装置を備え、
前記炸薬部材は、前記接続部を支点にして前記軸と垂直な方向に展開を行う付勢機構を有し、
前記ロック装置は、前記維持を解除させる解除機構を有する、ことを特徴とする展開弾頭
【請求項２】
前記先端部は、攻撃対象物までの距離を測定する攻撃対象物認識センサを有し、
前記ロック装置は、前記攻撃対象物認識センサからの前記展開を指示する展開信号を受信する展開信号受信部材を有し、
前記展開信号は、前記先端部が攻撃対象物までの距離が所定の値となった場合に、前記攻撃対象物認識センサから前記展開信号受信部材に送信される、ことを特徴とする請求項１に記載の展開弾頭。
【請求項３】
前記軸は、タンデム子弾を発射するための発射機構を有する、ことを特徴とする請求項１に記載の展開弾頭。
【請求項４】
前記発射機構は、前記先端部から発射信号を受信する発射信号受信部材を有し、
前記発射信号は、前記先端部が攻撃対象物までの距離が所定の値となった場合に、該先端部に取り付けられた攻撃対象物認識センサから前記発射機構に送信される、ことを特徴とする請求項２に記載の展開弾頭。
【発明の詳細な説明】
【技術分野】
【０００１】
本発明は、弾頭の側面が展開する展開弾頭に関する。
【０００２】
壁等の攻撃対象物に対する破壊を目的とした弾頭について、例えば以下の非特許文献に記載の弾頭（図１）が知られている。
【０００３】
図１は、弾頭１の先端部２を拡大させ、爆風圧を拡大させることで攻撃対象物に対する破壊範囲の増大を狙ったものである。
【先行技術文献】
【非特許文献】
【０００４】
【非特許文献１】Ｃｏｍｐｌｅｔｅ  Ｇｕｉｄｅ  ；  ａｒｍａｄａ  ＩＮＴＥＲＮＡＴＩＯＮＡＬ  ４／２００６
【発明の概要】
【発明が解決しようとする課題】
【０００５】
弾頭を用いて壁等の攻撃対象物に対して狙撃を行う場合、より破壊面積を大きくするために、先端部径を大きくすると、飛翔の安定性が欠如してしまうという問題点が生じることがある。
そのため、かかる場合には、照準点と着弾点にズレが生じてしまい、弾頭の機能を十分に発揮できないことがあった。
【０００６】
そこで、本発明の目的は、攻撃対象物に対して破壊面積を増大させ、かつ飛翔時の安定性も維持した先端部を有する弾頭を提供することにある。
【課題を解決するための手段】
【０００７】
前記目的を達成するため、本発明によると、攻撃対象物を破壊する展開弾頭であって、
先端部と、
該先端部の後端と一端が接続された軸と、
前記軸の一端と長手方向の一端が接続部において接続された１以上の炸薬部材と、
前記炸薬部材の長手方向について前記軸と平行になるように維持するロック装置を備え、
前記炸薬部材は、前記接続部を支点にして前記軸と垂直な方向に展開を行う付勢機構を有し、
前記ロック装置は、前記維持を解除させる解除機構を有する、ことを特徴とする展開弾頭が提供される。
【０００８】
本発明によれば、前記先端部は、攻撃対象物までの距離を測定する攻撃対象物認識センサを有し、
前記ロック装置は、前記攻撃対象物認識センサからの前記展開を指示する展開信号を受信する展開信号受信部材を有し、
前記展開信号は、前記先端部が攻撃対象物までの距離が所定の値となった場合に、前記攻撃対象物認識センサから前記展開信号受信部材に送信される。
【０００９】
本発明の別の実施例によれば、前記軸は、タンデム子弾を発射するための発射機構を有する。
【００１０】
本発明によれば、前記発射機構は、前記先端部から発射信号を受信する発射信号受信部材を有し、
前記発射信号は、前記先端部が攻撃対象物までの距離が所定の値となった場合に、該先端部に取り付けられた攻撃対象物認識センサから前記発射機構に送信される。
【発明の効果】
【００１１】
本発明によると、飛翔中は炸薬部材が展開していない態勢を維持することで飛翔の安定性を維持し、着弾直前に炸薬部材を展開することで、破壊面積を増加させることを可能とする弾頭を提供することができる。
【図面の簡単な説明】
【００１２】
【図１】従来技術の弾頭の構成図である。
【図２】本発明の第１実施例における展開前の弾頭の構成図である。
【図３】本発明の第１実施例における展開後の弾頭の構成図である。
【図４】本発明の第２実施例における弾頭の構成図である。
【図５】本発明の第３実施例における弾頭の構成図である。
【図６】本発明の第４実施例における弾頭の構成図である。
【図７】本発明の第５実施例における弾頭の構成図である。
【図８】本発明の第６実施例における弾頭の構成図である。
【図９】本発明における炸薬部材が先端部に接続している場合の構成図である。
【発明を実施するための形態】
【００１３】
本発明を実施するための実施形態を図面に基づいて説明する。なお、各図において共通する部分には同一の符号を付し、重複した説明を省略する。
【００１４】
図２は、本発明の第１実施例における展開前の弾頭の構成図である。
図２（Ａ）は展開前の弾頭の正面図、図２（Ｂ）は展開前の弾頭の側面についての断面図である。
また、図３は、本発明の第１実施例における展開後の弾頭の構成図である。
図３（Ａ）は展開後の弾頭の正面図、図３（Ｂ）は展開後の弾頭の側面についての断面図である。
この図において、１１は弾頭、１２は軸、１３は先端部、１４は炸薬部材、１４ａは付勢機構、１５はロケットモータ、１６はロック装置、１６ａは解除機構、１７は尾翼、１９は接続部である。
【００１５】
本発明の弾頭１１は、飛翔中に炸薬部材１４を軸１２と平行な状態に維持することで、安定的な飛翔を行うことが可能になっている。
【００１６】
軸１２は、先端部１３とロケットモータ１５を接続しており、１以上の炸薬部材１４と接続部１９において接続している。
【００１７】
先端部１３は、半球形状又は円錐形状を有しており、空気抵抗が極力少なくなるような形状になっている。
【００１８】
炸薬部材１４は、爆薬を有しており、攻撃対象物に接触した際に爆発を起こすようになっている。
【００１９】
炸薬部材１４は、接続点１９を支点に軸１２と垂直な方向に展開するための付勢機構１４ａを有している。
付勢機構１４ａは、例えば、バネ等の弾性力を利用したものや、磁石の反発力を利用したものである。
上記弾性力を利用した場合は、この弾性力が炸薬部材１４を展開させる方向に常に働いており、解除機構１６ａによってロックが解除されると同時に展開を行うようになっている。
【００２０】
ロケットモータ１５は、内部に搭載した推進薬を用いて、攻撃対象物に向けた推進力を発生させている。
また、ロケットモータ１５の周辺に１つ以上の尾翼１７が設置されており、かかる構成によって飛翔を安定させることができる。
【００２１】
軸１２は、ロック装置１６を有している。
ロック装置１６は、展開信号受信部材（図示しない）を有しており、攻撃対象物認識センサ１８から展開を指示する展開信号を展開信号受信部材（図示しない）において受け取ると、解除機構１６ａによって解除を行う。
これによって、炸薬部材１４は付勢機構１４ａによって展開される。
また、ロック装置１６は、飛翔中に炸薬部材１４の一部にロック装置１６が重なるように配置されることで、炸薬部材１４の状態が軸１２と平行になるように維持している。
また、炸薬部材１４と軸１２の間に接続フックを設けておき、ロック装置１６が展開信号を受信することで上記フックを取り外す構成でもよい。
【００２２】
攻撃対象物認識センサ１８は、先端部１３と攻撃対象物の距離が所定の値（事前に設定した値等）になった時に、展開信号受信部材（図示しない）等の各部位に信号を送る。
これによって、例えば、先端部１３が攻撃対象物に接触した瞬間に炸薬部材１４を展開させる等の調整を行うことが可能となる。
この例において、攻撃対象物認識センサ１８は、認識センサによって先端部１３と攻撃対象物の距離を認識しているが、先端部１３に攻撃対象物が接触した際の衝撃を契機に各部位に信号を送る構造でもよい。
【００２３】
図４は、本発明の第２実施例における弾頭の側面についての断面図である。
この図は、炸薬部材を弾頭の後方に展開した場合の断面図である。
【００２４】
第１実施例において、展開時には先端部１３と炸薬部材１４は接触する形になるが、先端部１３が攻撃対象物と接触する際の衝撃によって炸薬部材１４の展開を妨げることが想定される場合等には、図４のように炸薬部材１４の展開位置を先端部１３から離す形に設定してもよい。
【００２５】
図５は、本発明の第３実施例における弾頭の側面についての断面図である。
この図は、炸薬部材を弾頭において２ヶ所に分けて展開した場合の断面図である。
【００２６】
第３実施例において、炸薬部材１４を２ヶ所に分けて展開することによって、
攻撃対象物の壁等が二重構造になっている場合においても、前方の炸薬部材１４で外側の壁等を破壊し、後方の炸薬部材１４によって内側の壁等を破壊することが可能になる。
【００２７】
図６は、本発明の第４実施例における弾頭の構成図である。
図６（Ａ）は展開前の弾頭の側面における断面図、図６（Ｂ）は展開後の弾頭の側面における断面図である。
この図において、２１は発射経路、２２はタンデム子弾、２３は発射機構である。
【００２８】
発射機構２３は、攻撃対象物認識センサ１８からの発射信号を発射信号受信部材（図示しない）が受信した際に、タンデム子弾２２を発射させることができる。
これによって、例えば、攻撃対象物認識センサ１８が展開信号受信部材（図示しない）と発射信号受信部材（図示しない）に信号を送信するタイミングを、多少の間隔を持たせることにより、炸薬部材１４によって壁等の攻撃対象物の表面をある程度破壊した後に、タンデム子弾２２によって内部に向けた攻撃を行うことが可能になる。
【００２９】
図７は、本発明の第５実施例における弾頭の構成図であり、図８は、本発明の第６実施例における弾頭の構成図である。
この図において、２５はカバーであり、２６はロック装置である。
【００３０】
図７のように、ロック装置１６に代えてカバー２５によって、炸薬部材１４を抑えつける形とし、かかるカバー２５を分離することによって、炸薬部材１４を展開させる形でもよい。
また、図８のように、ロック装置２６を炸薬部材１４とロケットモータ１５にかかる形で設置し、かかるロック装置２６を進行方向と逆方向にスライドさせることによって炸薬部材１４を展開させる形でもよい。
【００３１】
なお、炸薬部材１４の展開する際に上記の例では、軸１２と接続部１９において接続しているが、図９のように、先端部１３の両端において接続させ、回転軸２４によって、炸薬部材１４を展開させる形でもよい。
【００３２】
また、前記において、本発明の実施形態について説明を行ったが、前記に開示された本発明の実施の形態は、あくまで例示であって、本発明の範囲はこれら発明の実施の形態に限定されない。本発明の範囲は、特許請求の範囲の記載によって示され、さらに特許請求の範囲の記載と均等の意味および範囲内でのすべての変更を含むものである。
【符号の説明】
【００３３】
１  弾頭、２  先端部、１１  弾頭、１２  軸、
１３  先端部、１４  炸薬部材、１４ａ  付勢機構、１５  ロケットモータ、
１６  ロック装置、１６ａ  解除機構、１７  尾翼、
１８  攻撃対象物認識センサ、１９  接続部、２１  発射経路、
２２  タンデム子弾、２３  発射機構、２４  回転軸、２５  カバー、
２６  ロック装置
【図１】
2012202597.tif 000003
【図２】
2012202597.tif 000004
【図３】
2012202597.tif 000005
【図４】
2012202597.tif 000006
【図５】
2012202597.tif 000007
【図６】
2012202597.tif 000008
【図７】
2012202597.tif 000009
【図８】
2012202597.tif 000010
【図９】
2012202597.tif 000011